【手続補正書】
【提出日】平成19年4月20日(2007.4.20)
【手続補正１】
【補正対象書類名】明細書
【補正対象項目名】特許請求の範囲
【補正方法】変更
【補正の内容】
【特許請求の範囲】
【請求項１】
伝送線路（１０）の減衰特性を補償するための減衰等化器（２００）であって、
第１のノード（Ａ）及び第２のノード（Ｂ）またはそれらのいずれか一方に結合された第１の周波数フィルタ装置（２２０、５２０）と、
信号経路（ＳＰ）と補正経路（ＣＰ）であって、これらの両方が、前記第１のノード（Ａ）と前記第２のノード（Ｂ）の間に結合される、信号経路（ＳＰ）と補正経路（ＣＰ）と、
前記第２のノード（Ｂ）に電流（ＩＣ）を提供するように構成された第１の電流源（２３０、４００、５５０、５５５）であって、前記第２のノード（Ｂ）に提供される電流（ＩＣ）を制御するために、前記第１のノード（Ａ）に結合された第１の電流源（２３０、４００、５５０、５５５）
を備え、
前記第１の電流源（２３０、４００、５５０、５５５）は、前記補正経路（ＣＰ）だけの一部分であって、前記信号経路（ＳＰ）の一部分ではなく、
前記第１の電流源（２３０、４００、５５０、５５５）は前記第２のノード（Ｂ）に結合されることからなる、減衰等化器（２００）。
【請求項２】
前記補正経路（ＣＰ）が、前記第１の電流源（２３０）を制御するために、前記第１のノード（Ａ）に結合された前記第１の周波数フィルタ装置（２２０）を有する、請求項１の減衰等化器（２００）。
【請求項３】
前記信号経路（ＳＰ）が、第１のインピーダンス（Ｒ０）を有し、
前記第１の周波数フィルタ装置（２２０）が、第２のインピーダンス（Ｒ２）を有し、該第２のインピーダンスは、第１の電極によって前記第１のノード（Ａ）に結合され、かつ、第２の電極によってコンデンサ（Ｃ）と第３のインピーダンス（Ｒ１）の並列接続に結合され、
前記第１の電流源（２３０）が、前記第２のインピーダンス（Ｒ２）の前記第２の電極に結合されることからなる、請求項２の減衰等化器（２００）。
【請求項４】
さらに、
第３のノード（５４０）、第２の周波数フィルタ装置（５３０）、第２の電流源（５７０）、及びスイッチング装置（５００）を備え、
前記第１の周波数フィルタ装置（５２０）が、前記第１のノード（Ａ）または前記第２のノード（Ｂ）に結合され、
前記第２の周波数フィルタ装置（５３０）は、前記第１の周波数フィルタ装置（５２０）が前記第１のノード（Ａ）に結合される場合に、前記第１のノード（Ａ）に結合され、または、前記第１の周波数フィルタ装置（５２０）が前記第２のノード（Ｂ）に結合される場合に、前記第３のノード（５４０）に結合され、
前記スイッチング装置（５００）が、前記第２のノード（Ｂ）における電位と前記第３のノード（５４０）における電位の間でスイッチングを行うように構成されて、前記第１のノード（Ａ）にその出力を提供し、
前記第２の電流源（５７０）が、前記第３のノード（５４０）に電流を提供するよう構成され、かつ、前記第３のノード（５４０）に提供される電流を制御するために、前記第１のノード（Ａ）に結合され、
前記第２の電流源（５７０）は、前記補正経路（ＣＰ）だけの一部であって、前記信号経路（ＳＰ）の一部ではなく、かつ、前記第３のノード（５４０）に結合されることからなる、請求項１の減衰等化器（２００）。
【請求項５】
前記周波数フィルタ装置（２２０、５２０、５３０）が、低域通過特性を有することからなる、請求項１〜４のいずれかの減衰等化器（２００）。
【請求項６】
前記周波数フィルタ装置（２２０、５２０、５３０）が、オフチップコンポーネントとして実施される、請求項１〜５のいずれかの減衰等化器（２００）。
【請求項７】
前記電流源（２３０、５５０、５７０、５５５、５７５）によって提供される電流の大きさが、前記電流源（２３０）の制御電極と、前記電流源によって提供される電流をオンまたはオフに切り換えるためのスイッチング装置（５６０、５８０）とによって、または、前記制御電極と前記スイッチング装置のいずれかによって制御可能である、請求項１〜６のいずれかの減衰等化器（２００）。
【請求項８】
前記電流源（２３０）が、
電流発生手段（Ｔ）と、
該電流発生手段（Ｔ）に結合され、かつ、それぞれのスイッチング手段（Ｓａ、Ｓｂ、Ｓｃ）によって選択可能である、少なくとも１つの電流経路
を有することからなる、請求項１〜７のいずれかの減衰等化器（２００）。
【請求項９】
伝送線路の減衰特性を補償するための減衰等化器であって、
第１のノード（Ａ）及び第２のノード（Ｂ）と、
前記第１のノード（Ａ）及び前記第２のノード（Ｂ）またはそれらのいずれか一方に結合されて、印加された信号を周波数フィルタリングするための第１の周波数フィルタ装置（２２０、５２０）と、
第１の電流源（２３０、４００、５５０、５５５）によって前記第２のノードに提供される電流を制御するために、前記第１のノードに結合される該第１の電流源と、
第３のノード（５４０）、第２の周波数フィルタ装置（５３０）、第２の電流源（５７０）、及びスイッチング装置（５００）
を備え、
前記第２の周波数フィルタ装置（５３０）は、前記第１の周波数フィルタ装置（２２０、５２０）が前記第１のノード（Ａ）に結合されるときには、前記第１のノード（Ａ）に結合され、または、前記第１の周波数フィルタ装置が前記第２のノード（Ｂ）に結合されるときには、前記第３のノード（５４０）に結合され、
前記スイッチング装置（５００）は、前記第２のノード（Ｂ）における電位と前記第３のノード（５４０）における電位の間でスイッチングを行うように構成されて、前記第１のノード（Ａ）にその出力を提供し、
前記第１の電流源（２３０、４００、５５０、５５５）は、前記第２のノード（Ｂ）に提供される電流を制御するために、前記第１のノード（Ａ）に結合され、
前記第２の電流源（５７０）は、前記第３のノード（５４０）に提供される電流を制御するために、前記第１のノード（Ａ）に結合されることからなる、減衰等化器。
【請求項１０】
信号経路が、前記第１のノード（Ａ）と前記第２のノード（Ｂ）からなり、
前記第１のノード（Ａ）に印加された信号の周波数挙動を補正するための補正経路が、前記第１の電流源を制御するために前記第１のノード（Ａ）に結合された前記第１の周波数フィルタ装置を備えることからなる、請求項９の減衰等化器。
【請求項１１】
前記信号経路が第１のインピーダンスを有し、
前記第１の周波数フィルタ装置が第２のインピーダンスを有し、前記第２のインピーダンスが、第１の電極によって前記第１のノードに結合され、かつ、第２の電極によってコンデンサと第３のインピーダンスの並列接続に結合され、
前記第１の電流源が、前記第２のインピーダンスの前記第２の電極に結合されることからなる、請求項１０の減衰等化器。
【請求項１２】
前記周波数フィルタ装置が、低域通過特性を有することからなる、請求項９の減衰等化器。
【請求項１３】
前記周波数フィルタ装置が、オフチップコンポーネントとして実施される、請求項９の減衰等化器。
【請求項１４】
前記電流源によって提供される電流の大きさが、前記電流源の制御電極と、前記電流源によって提供される電流をオンまたはオフに切り換えるためのスイッチング装置とによって、または、前記制御電極と前記スイッチング装置のいずれかによって制御可能である、請求項９の減衰等化器。
【請求項１５】
前記電流源が、
電流発生手段と、
該電流発生手段に結合され、かつ、それぞれのスイッチング手段によって選択可能である、少なくとも１つの電流経路
を有することからなる、請求項９の減衰等化器。
【請求項１６】
デジタル集積回路をテストするためのテスタ装置における伝送線路の減衰特性を補償するための請求項９の減衰等化器。
【請求項１７】
電子デバイス、好ましくは、デジタルＩＣをテストするためのテスタ装置における伝送線路（１０）の減衰特性を補償するために、請求項１〜１６のいずれかの減衰等化器（２００）を使用すること。